【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
有価紙葉を案内する搬送通路の一部となる湾曲通路を形成する通路形成体と、搬送通路の入口と出口との間で湾曲通路を含む搬送通路に沿って有価紙葉を搬送する搬送装置と、搬送通路の幅方向に光ビームを照射する発光素子及び発光素子から照射される光ビームを受光して光ビームの光量に対応する電気信号を発生する受光素子を有する光学検出装置とを備え、
通路形成体は、平坦な又は湾曲する前基面及び平坦な又は湾曲する後基面を形成する基板と、基板に固定されて、搬送通路に沿う有価紙葉の搬送方向を変更する湾曲通路を形成する山形部材と、基板の前基面及び後基面から一定間隔離間して配置されて搬送通路を形成すると共に、山形部材から一定間隔離間して配置されて湾曲通路を形成する窪みを有する蓋板とを備え、
山形部材は、搬送通路の幅方向にかつ全幅にわたり延伸しかつ少なくとも１つの頂部を備え、
搬送装置は、湾曲通路の前方で搬送通路に沿って配置されて搬送通路を通る有価紙葉を湾曲通路に向って移動しかつ湾曲通路を乗り越えさせる前送ユニットを備え、
光学検出装置の発光素子は、搬送通路の幅方向に光ビームを照射し、
光ビームの投影断面は、山形部材の頂部を形成する湾曲表面の少なくとも１点を通る仮想接線又は仮想接線の延長線を含むことを特徴とする有価紙葉引抜防止装置。
【請求項２】
平坦に又は湾曲して前基面又は後基面を形成した請求項１に記載の有価紙葉引抜防止装置。
【請求項３】
平坦な前基面及び平坦な後基面を基板に設け、
基板の前基面及び平坦な後基面にそれぞれ対向する平坦な前蓋面及び後蓋面を蓋体に設けて直線状の搬送通路を形成し、
前基面と後基面との間で山形部材に対向する台形状又は湾曲状の窪みにより湾曲通路を形成した請求項１又は２に記載の有価紙葉引抜防止装置。
【請求項４】
湾曲通路の後方で搬送通路に沿って配置した搬送装置の中送ユニットにより、湾曲通路を通過した有価紙葉を把持しかつ更に出口に向って搬送する請求項１〜３の何れか１項に記載の有価紙葉引抜防止装置。
【請求項５】
湾曲通路の後方で搬送通路に沿って配置した搬送装置の中送ユニットにより、湾曲通路を通過した有価紙葉を把持しかつ更に出口側に搬送し、
前送ユニットと中送ユニットとの間隔は、有価紙葉の長さより短い請求項１〜３の何れか１項に記載の有価紙葉引抜防止装置。
【請求項６】
湾曲通路を形成する山形部材に前基斜面、前基斜面に接続される単一又は複数の頂部及び後基斜面を設け、前基斜面に対向する前蓋斜面、前蓋斜面に接続される湾曲窪み面又は平坦窪み面及び後基斜面に対向する後蓋斜面を窪みに設けた請求項１〜５の何れか１項に記載の有価紙葉引抜防止装置。
【請求項７】
前送ユニットの前方に有価紙葉の鑑別センサを配置した請求項１〜３の何れか１項に記載の有価紙葉引抜防止装置。
【請求項８】
搬送ベルト、搬送ローラ又は搬送ベルトと搬送ローラとの組合せにより前送ユニットを構成した請求項１〜７の何れか１項に記載の有価紙葉引抜防止装置。
【請求項９】
搬送ベルト、搬送ローラ又は搬送ベルトと搬送ローラとの組合せにより中送ユニットを構成した請求項４、５又は７に記載の有価紙葉引抜防止装置。
【請求項１０】
入口に挿入される有価紙葉を検出して、検出信号を発生する入口センサと、
入口センサの検出信号を受信して、搬送装置の前送ユニットを駆動する制御装置とを備える請求項１〜９の何れか１項に記載の有価紙葉引抜防止装置。
【請求項１１】
搬送通路に沿って配置される鑑別センサを備え、
鑑別センサは、引抜手段の陰影を検出するイメージセンサを備え、
イメージセンサの検出出力と、光学検出装置との検出出力とから有価紙葉に接続される引抜手段の有無を判断する制御装置を設けた請求項１に記載の有価紙葉引抜防止装置。
【請求項１２】
山形部材の頂部に接触する引抜手段は、山形部材の湾曲表面の少なくとも１点を通る仮想接線又は仮想接線の延長線に沿って入口側又は出口側に延伸し、頂部から離間する引抜手段は、基板にも蓋板にも接触しない請求項１〜１１の何れか１項に記載の有価紙葉引抜防止装置。
【請求項１３】
山形部材は、前基面に接続される前基斜面と、後基面に接続される後基斜面と、前基斜面と後基斜面とを接続する平坦な又は山形部材から突出して湾曲する単一の頂部とを備える請求項１〜１２の何れか１項に記載の有価紙葉引抜防止装置。
【請求項１４】
山形部材は、前基面に接続される前基斜面と、前基斜面に接続される平坦な又は山形部材から突出して湾曲する第１の頂部と、第１の頂部に接続される谷部と、谷部に接続される平坦な又は山形部材から突出して湾曲する第２の頂部と、第２の頂部と後基面との間に接続される後基斜面とを備える請求項１〜１２の何れか１項に記載の有価紙葉引抜防止装置。
【請求項１５】
光学検出装置から照射される光ビームの投影断面は、第１の頂部と第２の頂部の仮想共通接線を範囲内に含む請求項１４に記載の有価紙葉引抜防止装置。
【請求項１６】
仮想接線又は仮想接線の延長線と山形部材との間に第１の間隙を形成すると共に、仮想接線又は仮想接線の延長線と蓋板の窪みとの間に第２の間隙を形成し、光学検出装置から搬送通路の幅方向に照射される光ビームの投影断面は、第１の間隙と第２の間隙とを跨越する請求項１２〜１５の何れか１項に記載の有価紙葉引抜防止装置。
【請求項１７】
光学検出装置から搬送通路内に照射される単一又は複数の光ビームの投影断面は、山形部材の頂部を形成する湾曲表面の少なくとも１点を通る仮想接線又は仮想接線の延長線を範囲内に含む請求項１２〜１６の何れか１項に記載の有価紙葉引抜防止装置。
【請求項１８】
光学検出装置から搬送通路内に照射される単一の光ビームの投影断面は、第１の頂部と第２の頂部との間に形成される谷部に隣接する請求項１４に記載の有価紙葉引抜防止装置。
【請求項１９】
光学検出装置から搬送通路内に照射される単一又は複数の光ビームは、前基斜面と後基斜面とのそれぞれに沿い２つの投影断面を有する請求項１３に記載の有価紙葉引抜防止装置。
【請求項２０】
光学検出装置は、発光素子及び受光素子を有する光送受信装置と、光送受信装置に対して搬送通路の幅方向反対側に配置される反射部材とを備え、
反射部材は、光送受信装置の発光素子から搬送通路の幅方向に照射される光ビームを搬送通路とほぼ並行な方向に反射する第１の反射面と、発光素子から照射される光ビームとほぼ並行な方向に、第１の反射面で反射された光ビームを反射して、受光素子に向う光ビームを形成する第２の反射面とを備える請求項１９に記載の有価紙葉引抜防止装置。
【請求項２１】
有価紙葉の搬送方向で山形部材の前方と後方とに延伸して有価紙葉を搬送する搬送ベルトを搬送装置に設け、
山形部材は、搬送ベルトを跨越して基板上に固定される請求項１２〜２０の何れか１項に記載の有価紙葉引抜防止装置。
【請求項２２】
搬送ベルトと同一のレベル又は搬送ベルトより基板から外側に離間して谷部を形成した請求項１４に記載の有価紙葉引抜防止装置。
【請求項２３】
山形部材の前方と後方とに搬送ベルトに当接する一対のピンチローラを搬送装置の前送ユニットと中送ユニットに設けた請求項１２〜２２の何れか１項に記載の有価紙葉引抜防止装置。
【請求項２４】
光学検出装置の光送受信装置は、搬送通路の一方側に配置された発光素子と、搬送通路の幅方向の反対側に配置された反射部材と受光素子とを備え、受光素子は、発光素子から照射され、反射部材により反射される光ビームを受光する請求項１４又は１５に記載の有価紙葉引抜防止装置。
【請求項２５】
光学検出装置の発光素子は、有価紙葉が湾曲通路を通過した後に、搬送通路の幅方向に光ビームを照射する請求項１〜２４の何れか１項に記載の有価紙葉引抜防止装置。